(57)【特許請求の範囲】
【請求項１】
遊技盤を有する遊技機本体と、
この遊技機本体に開閉可能に支持される前扉とを備えて、
この前扉を開くことにより前記遊技盤をその盤面側から開放し、前記前扉を閉じることにより前記遊技盤をその盤面側から覆うようにしてなるパチンコ遊技機において、
前記遊技機本体に前記遊技盤側から開閉可能に支持される外枠と、この外枠内に上下動可能に組み付けられる内枠と、透明板を有し前記内枠の上下動に応じて前後方向に変位可能となるように前記内枠内に組み付けられる変位板部材とを具備するセキュリティ板と、
前記遊技機本体に対し前記セキュリティ板を解除可能にロックするロック機構とを備えて、
前記セキュリティ板の全部または一部は、前記ロック機構によりロックされた状態にて、前記内枠の上動或いは下動に応じて前記透明板と前記遊技盤との間に生ずる遊技球の球噛みの解消可能なように前記変位板部材を前方へ変位させることを特徴とするパチンコ遊技機。
【請求項２】
前記遊技機本体は、前記遊技盤を組み付けてなる枠体を備えており、
前記セキュリティ板において、
前記外枠は、その上壁右端部にて、上下方向及び前方に向けた開口するように切り欠き形成された切り欠き部を備えて、前記枠体に前記遊技盤側から開閉可能に支持されており、
前記内枠は、その上壁右端部から前記切り欠き部内に下方から進入可能に上方へ突出する係合突部を備えており、
前記ロック機構は、
前記枠体の上壁右端部から上下方向に傾動可能となるように延出されるロックレバーであってその延出端部から前記外枠の前記切り欠き部内に上方から進入可能に下方に向けて延出するフック部を設けてなるロックレバーと、
このロックレバーを下方に向けて傾動するように付勢するばね部材とを備えており、
前記ロック機構は、
前記セキュリティ板を閉じたとき当該セキュリティ板を前記枠体にロックさせるように前記ばね部材の付勢のもとに前記ロックレバーをそのフック部にて前記外枠の前記切り欠き部内に上方から進入させて係止させ、
また、前記セキュリティ板の前記枠体とのロックを解除するように前記内枠の上動により前記係合突部を前記切り欠き部内にその下方から進入させて前記フック部を介し前記ロックレバーを前記ばね部材に抗して上方へ傾動させるようにしたことを特徴とする請求項１に記載のパチンコ遊技機。
【請求項３】
前記セキュリティ板において、前記変位板部材は、前記内枠の右壁の上下方向中間部位に後側上方から前側下方に向けて形成した傾斜状長穴部に相対移動可能に挿入される案内ピンを設けてなり、
前記変位板部材を、前記内枠の上動に応じて、前記案内ピンにより前記内枠の前記傾斜状長穴部に沿い案内されて前進するようにしたことを特徴とする請求項２に記載のパチンコ遊技機。
【請求項４】
前記遊技盤は、その盤面にその少なくとも下側外周部に沿い上に凹な湾曲状となるように設けられる内レールと、球落下防止装置とを備えて、
この球落下防止装置は、
前記内レールの下側部位の下面に沿い前後方向に変位する球受けレールと、
前記セキュリティ板の全部または一部が前記変位板部材にて前方へ移動するのにあわせて、前記球受けレールを前記内レールの下側部位の下面に沿い前方へ移動させるように駆動する駆動機構とを具備することを特徴とする請求項１〜３のいずれか１つに記載のパチンコ遊技機。
【請求項５】
前記遊技盤は、前記盤面の外周部から前方へ突出してなる装飾部品を備えており、
前記セキュリティ板は、その前記装飾部品に対する対応部位にて、空所を当該装飾部品の挿通可能に形成してなることを特徴とする請求項１〜４のいずれか１つに記載のパチンコ遊技機。
【発明の詳細な説明】
【技術分野】
【０００１】
本発明は、パチンコ遊技機に係り、特に、遊技盤を有する遊技機本体と、この遊技機本体にその遊技盤を介し開閉可能に支持される前扉とからなるパチンコ遊技機に関する。
【背景技術】
【０００２】
従来、この種のパチンコ遊技機においては、下記特許文献１に記載のパチンコ遊技機が提案されている。このパチンコ遊技機の遊技盤の盤面には、始動入賞口装置や大入賞口装置等の遊技球の払い出しに関与する種々の役物が設けられている。
【０００３】
ここで、前扉は、閉じたとき遊技盤を覆うことで、一応、上述の種々の役物を保護する役割を果たしている。
【先行技術文献】
【特許文献】
【０００４】
【特許文献１】特開２００９−２９１５２０号公報
【発明の概要】
【発明が解決しようとする課題】
【０００５】
ところで、上記パチンコ遊技機において、隙間が、前扉と遊技機本体との間に僅かでも存在すると、この隙間を介して前扉と遊技機本体との間にピアノ線などを挿入して役物を不正に動作させることで、多数の遊技球を獲得するという不正行為（所謂ゴト行為）が行われるおそれがある。
【０００６】
このような不正行為を防止する方策としては、セキュリティ板を遊技機本体と前扉の間にて上記隙間をなくするように遊技機本体にその盤面側から装着することが考えられる。
【０００７】
しかしながら、このようにセキュリティ板を装着すると、遊技盤とセキュリティ板との間隙が狭くなりすぎて、遊技球が、遊技盤とセキュリティ板との間に移動不能に挟まれるといういわゆる球噛みが発生するおそれがある。
【０００８】
これに対しては、セキュリティ板を遊技機本体にその盤面側から開閉可能に設けることで、球噛みが発生したとき、セキュリティ板を開くようにしてもよいが、単にセキュリティ板を開閉可能に設けるのみでは、セキュリティ板を開くことにより、球噛みを解消し得るとしても、パチンコ遊技機としてのセキュリティの低下を招くという不具合が生ずる。
【０００９】
そこで、本発明は、以上のようなことに対処するため、セキュリティ板を遊技機本体にその遊技盤側から開閉可能に設け、かつ、当該セキュリティ板を閉じたときにこのセキュリティ板を遊技機本体に解除可能にロックする構成及びこのロック状態にて球噛みを解消可能にする構成のもとに、球噛みを解消しつつ不正行為を防止し得るようにしたパチンコ遊技機を提供することを目的とする。
【課題を解決するための手段】
【００１０】
上記課題の解決にあたり、本発明は、請求項１の記載によれば、遊技盤（Ｐ）を有する遊技機本体（Ｈ、Ｐ）と、
この遊技機本体に開閉可能に支持される前扉（Ｄ）とを備えて、
この前扉を開くことにより遊技盤をその盤面（３１）側から開放し、前扉を閉じることにより遊技盤をその盤面側から覆うようにしてなるパチンコ遊技機において、
遊技機本体に遊技盤側から開閉可能に支持される外枠（６１）と、この外枠内に上下動可能に組み付けられる内枠（６２）と、透明板（６４）を有し内枠の上下動に応じて前後方向に変位可能となるように内枠内に組み付けられる変位板部材（６３）とを具備するセキュリティ板（Ｓ）と、
遊技機本体に対しセキュリティ板を解除可能にロックするロック機構（４３）とを備えて、
セキュリティ板の全部または一部は、ロック機構によりロックされた状態にて、内枠の上動或いは下動に応じて透明板と遊技盤との間に生ずる遊技球の球噛みの解消可能なように変位板部材を前進させることを特徴とするパチンコ遊技機である。
【００１１】
これによれば、セキュリティ板が、遊技機本体と前扉との間に開閉可能に支持されている。
【００１２】
このため、セキュリティ板を閉じたとき、当該セキュリティ板と遊技機本体との間には隙間が形成されない。従って、遊技機本体と前扉との間の隙間からピアノ線等を挿入させ得たとしても、当該ピアノ線等を、セキュリティ板と遊技機本体との間にまで挿入することは困難である。
【００１３】
よって、上記ピアノ線等は、遊技盤の盤面には到達し得ず、その結果、上述のような不正行為を未然に防止することができる。
【００１４】
また、セキュリティ板は、閉じたとき、ロックレバー機構によりロックされるので、セキュリティ板を自由に開けることはできない。このため、当該パチンコ遊技機のセキュリティが向上する。
【００１５】
また、遊技球の球噛みが遊技盤とセキュリティ板の透明板との間で発生した場合には、前扉を閉じかつセキュリティ板をロックしたままで、内枠を上動或いは下動させて変位板部材を球噛みの解消可能に前進させるようにしたので、前扉及びセキュリティ板を開くことなく上記球噛みを解消し得ることとなり、便利である。このとき、セキュリティ板は上述のごとくロックしたままであるから、当該パチンコ遊技機のセキュリティは、上記球噛みの解消前と同様に向上する。なお、遊技盤の盤面は、セキュリティ板の透明板を通して視認可能であるので、前扉から盤面を視認することに特に支障は生じない。
【００１６】
また、本発明は、請求項２の記載によれば、請求項１に記載のパチンコ遊技機において、遊技機本体は、遊技盤を組み付けてなる枠体（Ｈ）を備えており、
セキュリティ板において、
外枠は、その上壁右端部にて、上下方向及び前方に向けた開口するように切り欠き形成された切り欠き部（６１ｅ）を備えて、枠体に遊技盤側から開閉可能に支持されており、
内枠は、その上壁右端部から上記切り欠き部内に下方から進入可能に上方へ突出する係合突部（６２ｌ）を備えており、
ロック機構は、
枠体の上壁右端部から上下方向に傾動可能となるように延出されるロックレバーであってその延出端部から外枠の上記切り欠き部内に上方から進入可能に下方に向けて延出するフック部（４３ｄ）を設けてなるロックレバー（４３ａ）と、
このロックレバーを下方に向けて傾動するように付勢するばね部材（４３ｃ）とを備えており、
ロック機構は、
セキュリティ板を閉じたとき当該セキュリティ板を枠体にロックさせるようにばね部材の付勢のもとにロックレバーをそのフック部にて外枠の上記切り欠き部内に上方から進入させて係止させ、
また、セキュリティ板の枠体とのロックを解除するように内枠の上動により上記係合突部を上記切り欠き部内にその下方から進入させて上記フック部を介しロックレバーをばね部材に抗して上方へ傾動させるようにしたことを特徴とする。
【００１７】
このような構成によれば、セキュリティ板のロック及びその解除がロック機構により確実になされることから、請求項１に記載の発明の作用効果をより一層確実に達成することができる。
【００１８】
また、本発明は、請求項３の記載によれば、請求項２に記載のパチンコ遊技機において、
セキュリティ板において、変位板部材は、内枠の右壁の上下方向中間部位に後側上方から前側下方に向けて形成した傾斜状長穴部（６２ｅ）に相対移動可能に挿入される案内ピン（６３ｇ）を設けてなり、
変位板部材を、内枠の上動に応じて、案内ピンにより内枠の上記傾斜状長穴部に沿い案内されて前進するようにしたことを特徴とする。
【００１９】
このような構成によれば、変位板部材が内枠の上動に応じて案内ピンにより内枠の傾斜状長穴部に沿い案内されて前進することで、セキュリティ板と遊技盤との間に生ずる球噛みが、確実に解消され得る。これにより、当該作用効果が請求項２に記載の発明の作用効果と共に相乗的に達成され得る。
【００２０】
また、本発明は、請求項４の記載によれば、請求項１〜３のいずれか１つに記載のパチンコ遊技機において、
遊技盤は、その盤面にその少なくとも下側外周部に沿い上に凹な湾曲状となるように設けられる内レール（３４）と、球落下防止装置（ＢＣ）とを備えて、
この球落下防止装置は、
内レールの下側部位の下面に沿い前後方向に変位する球受けレール（１００ａ）と、
セキュリティ板の全部または一部が変位板部材にて前方へ移動するのにあわせて、球受けレールを内レールの下側部位の下面に沿い前方へ移動させるように駆動する駆動機構（１００ｂ）とを具備することを特徴とする。
【００２１】
このように、上述のように構成した球落下防止装置を遊技盤に設けるようにしたので、遊技球の球噛みがセキュリティ板と遊技盤の盤面との間に生じたとき、球落下防止装置は、セキュリティ板の変位板部材の前方への移動にあわせて、駆動機構による駆動のもと、球受けレールを、内レールの下側部位の下面に沿い前方へ移動させる。
【００２２】
このため、遊技球がセキュリティ板の変位板部材の前方への移動に伴い球噛みから解消されて落下しても、当該遊技球は、内レールの下方へ落下することなく、球受けレールにより確実に受け止められて、内レールの上面を通り当該内レールの下端部直上に位置するアウト口を通して排出され得る。
【００２３】
また、本発明は、請求項５の記載によれば、請求項１〜４のいずれか１つに記載のパチンコ遊技機において、
遊技盤は、上記盤面の外周部から前方へ突出してなる装飾部品（３５）を備えており、
セキュリティ板は、その装飾部品に対する対応部位にて、空所（Ｇ）を当該装飾部品の挿通可能に形成してなることを特徴とする。
【００２４】
このような構成において、パチンコ遊技機では、一般的に、前扉に電飾部品等の装飾部品を設けることで、演出効果を高めることが行われている。ここで、パチンコ遊技機において、遊技盤は定期的に交換されるものの、前扉は交換されることなくそのまま維持されることが通常である。これでは、パチンコ遊技機としての装飾部品による演出効果を遊技盤の交換にあわせてさらに高めることはできない。
【００２５】
このため、電飾部品等の装飾部品を、前扉ではなく、遊技盤の盤面に突設することで、パチンコ遊技機としての装飾部品による演出効果を遊技盤の交換毎に新たに高めることができる。
【００２６】
ここで、セキュリティ板を遊技機本体に開閉可能に支持した場合には、セキュリティ板を閉じるにあたり、装飾部品が邪魔になって当該セキュリティ板を閉じることができない。そこで、上述のごとく、セキュリティ板に上記空所を設けることで、セキュリティ板を閉じるとき、装飾部品を上記空所に挿通させることにより、セキュリティ板を装飾部品により邪魔されることなく良好に閉じることができる。
【発明の効果】
【００２７】
請求項１の記載によれば、セキュリティ板が、遊技機本体と前扉との間に開閉可能に支持されている。このため、セキュリティ板を閉じたとき、当該セキュリティ板と遊技機本体との間には隙間が形成されない。従って、遊技機本体と前扉との間の隙間からピアノ線等を挿入させ得たとしても、当該ピアノ線等を、セキュリティ板と遊技機本体との間にまで挿入することは困難である。よって、上記ピアノ線等は、遊技盤の盤面には到達し得ず、その結果、上述のような不正行為を未然に防止することができる。
【００２８】
また、セキュリティ板は、閉じたとき、ロックレバー機構によりロックされるので、セキュリティ板を自由に開けることはできない。このため、当該パチンコ遊技機のセキュリティが向上する。
【００２９】
また、遊技球の球噛みが遊技盤とセキュリティ板の透明板との間で発生した場合には、前扉を閉じかつセキュリティ板をロックしたままで、内枠を上動或いは下動させて変位板部材を球噛みの解消可能に前進させるようにしたので、前扉及びセキュリティ板を開くことなく上記球噛みを解消し得ることとなり、便利である。
【００３０】
なお、上記各手段の括弧内の符号は、後述する実施形態に記載の具体的手段との対応関係を示す。
【図面の簡単な説明】
【００３１】
【図１】本発明に係るパチンコ遊技機の第１実施形態を、キー及び工具を前扉の施錠装置及び工具挿入穴部にそれぞれ挿入した状態にて示す正面図である。
【図２】図１のパチンコ遊技機の側面図である。
【図３】図１のパチンコ遊技機の平面図である。
【図４】図１にてセキュリティ板が原位置にあるときの４−４線に沿う断面図である。
【図５】図４にてセキュリティ板が前進位置に移動した状態を示す断面図である。
【図６】上記第１実施形態における前扉の分解斜視図である。
【図７】上記第１実施形態におけるパチンコ遊技機の分解斜視図である。
【図８】上記第１実施形態におけるセキュリティ板の分解斜視図である。
【図９】上記第１実施形態において球噛み解消操作を説明するためのパチンコ遊技機の半断面斜視図である。
【図１０】上記第１実施形態において球噛み解消操作を説明するためのパチンコ遊技機の半断面斜視図である。
【図１１】上記第１実施形態においてセキュリティ板を開く操作を説明するためのパチンコ遊技機の半断面斜視図である。
【図１２】上記実施形態においてセキュリティ板を開いた状態を示すパチンコ遊技機の斜視図である。
【図１３】本発明に係るパチンコ遊技機の第２実施形態を示す部分破断正面図である。
【図１４】上記第２実施形態においてセキュリティ板の変位板部材のガラス板が原位置にあるときの図１３の１４−１４線に沿う断面図である。
【図１５】上記第２実施形態においてセキュリティ板の変位板部材のガラス板が前進位置にあるときの状態を示す球落下防止装置の断面図である。
【図１６】上記第２実施形態においてセキュリティ板の開状態にて球受けレールを後方へ押し込んだときの状態を示す球落下防止装置の断面図である。
【図１７】上記第２実施形態においてセキュリティ板を閉じる過程における状態を示す球落下防止装置の断面図である。
【図１８】上記第２実施形態において前方へ変位した状態にある球受けレールと内レールとの位置関係を説明するための遊技盤の部分破断斜視図である。
【図１９】上記第２実施形態において後方へ変位した状態にある球受けレールと内レールとの位置関係を説明するための遊技盤の部分破断斜視図である。
【発明を実施するための形態】
【００３２】
以下、本発明の各実施形態を図面により説明する。
【００３３】
（第１実施形態）
図１〜図３は、本発明を適用してなるパチンコ遊技機の第１実施形態を示しており、当該パチンコ遊技機は、パチンコホール内の設置島に立設されるものである。
【００３４】
このパチンコ遊技機は、図１〜図７のいずれかから分かるように、機枠（図示しない）、遊技盤Ｐを枠体Ｈに組み付けてなる遊技機本体と、この遊技機本体に開閉可能に支持される前扉Ｄ及びセキュリティ板Ｓとによって構成されている。なお、図１において、図示左側、右側、上側及び下側を、それぞれ、当該パチンコ遊技機の左側、右側、上側及び下側という。
【００３５】
前扉Ｄは、セキュリティ板Ｓを介し、上記遊技機本体の枠体Ｈにその前面側から開閉可能に支持されているもので、この前扉Ｄは、扉本体Ｄａ（図２参照）と、この扉本体Ｄａの窓穴部１１にその裏面側から取り付けたガラス板１２とにより構成されている（図１参照）。
【００３６】
前扉Ｄは、上ヒンジ板２１（図２参照）と、下ヒンジ板（図示せず）とにより、枠体Ｈに上述のごとく開閉可能に支持されており、この前扉Ｄは、閉じたときに、遊技盤Ｐをその盤面３１側から覆い、また、開いたときに、遊技盤Ｐをその盤面３１側から開放する。なお、上記下ヒンジは、枠体Ｈの突出部４２（図７参照）の左端部上に装着されている。
【００３７】
また、前扉Ｄは、図７にて示すごとく、遊技球を貯留する球受け皿１３、この球受け皿１３内の遊技球を遊技盤Ｐの遊技領域３２へと打球するときに操作される発射ハンドル１４、遊技者の遊技への参加意識を高めるために所定の演出時に遊技者によりプッシュ操作される演出操作ボタン１５などを備えている。
【００３８】
ここで、扉本体Ｄａの窓穴部１１の外周部のうち各隅角部には、各貫通穴部１６〜１６が各装飾部品３５（後述する）に対応するように形成されている。なお、当該各貫通穴部１６〜１６には、その前側開口部にて、各透明板が嵌着されていてもよい。
【００３９】
また、前扉Ｄには、施錠装置１７が設けられており、この施錠装置１７は、キーＫの一方向回動操作により、前扉Ｄを枠体Ｈに対して施錠し、また、当該キーＫの他方向回動操作により、当該前扉Ｄの枠体Ｈに対する施錠を解錠する（図６参照）。なお、前扉Ｄには、工具挿入穴部１８が、図７にて示すごとく、後述する如き球噛み解消に用いる軸状工具Ｔを挿入するために設けられており、この工具挿入穴部１８は、後述のごとく内枠６２の外枠６１に対する上下動を許容するように上下方向に長穴状に形成されている。
【００４０】
遊技盤Ｐは、図７にて示すごとく、その盤面３１にて、外レール３３と内レール３４とを備えており、これら外レール３３及び内レール３４は、その内周側にて、遊技盤Ｐの盤面３１上に遊技領域３２を形成している。
【００４１】
外レール３３は、発射ハンドル１４の回動操作により発射された遊技球を遊技領域３２へ案内する。遊技領域３２には、図示しないが、遊技釘、風車、普通入賞口装置、第１始動口を有するスタートチャッカー、第２始動口を有する電動チューリップ、大入賞口を有するアタッカー、ゲート（スルーチャッカー）、ステージやアウト口などが設けられている。
【００４２】
また、遊技盤Ｐは電飾部品などの三角柱状の複数の装飾部品３５を備えており、これら各装飾部品３５は、図７にて示すごとく、それぞれ、遊技盤Ｐの盤面３１の各隅角部に前方に向け突設されている。本第１実施形態では、各装飾部品３５は、それぞれ、セキュリティ板Ｓの各空所Ｇ（後述する）及び前扉Ｄの各貫通穴部１６〜１６に挿通されて、その前面３５ａにて遊技盤Ｐの盤面３１の前方を臨むようになっている。なお、遊技盤Ｐには、その裏面側から、画像表示器、電源回路や遊技制御回路（主基板、サブ基板）などが組付けられている。
【００４３】
枠体Ｈは、図７にて示すごとく、四角形状の中空部４１ａを有する四角形状の枠部４１と、この枠部４１の下端から前方へ突出する突出部４２とにより構成されており、枠部４１の上壁部４１ｂには、その右端側にて、凹部４１ｃが前方へ開口するように形成されている。なお、遊技盤Ｐは、枠部４１の中空部４１ａ内に嵌装されて、上述のごとく枠体Ｈに組み付けられている。
【００４４】
ロックレバー機構４３は、図７及び図９〜図１２のいずれかにて示すごとく、枠部４１の凹部４１ｃ内に組み付けられており、このロックレバー機構４３は、ロックレバー４３ａと、ピン４３ｂと、捩りばね４３ｃとにより構成されている。
【００４５】
ロックレバー４３ａは、長板状のもので、当該ロックレバー４３ａは、そのレバー本体の基端部にて、枠部４１の凹部４１ｃ内に、ピン４３ｂにより上下方向に傾動可能に組み付けられて、凹部４１ｃからその右側内壁部に沿い前方へ延出している。ここで、ロックレバー４３ａの上記レバー本体の延出先端部には、フック部４３ｄが、下向きに形成されている（図９参照）。このことは、ロックレバー４３ａは、上記レバー本体とフック部４３ｂとによりＬ字状に形成されていることを意味する。
【００４６】
また、ピン４３ｂは、凹部４１ｃ内にてその上記右側内壁部から左方に向け突出されており、このピン４３ｂは、ロックレバー４３ａの上記レバー本体の基端部を上下方向に傾動可能に支持している。また、捩りばね４３ｃは、その捩りばね力にてロックレバー４３ａの上記レバー本体をその基部を軸として下方に向け傾動させるように付勢すべく、凹部４１ｃ内にて、ピン４３ｂに同軸的に支持されている。
【００４７】
セキュリティ板Ｓは、枠体Ｈに前後方向に開閉可能に支持されているもので、このセキュリティ板Ｓは、図８に示すように、矩形状の外枠６１と、この外枠６１の矩形状中空部内に組付けられる矩形状の内枠６２と、変位板部材６３とを備えている。
【００４８】
外枠６１は、上壁６１ａと、右壁６１ｂと、左壁６１ｃと、下壁６１ｄとにより、矩形枠状に形成されており、この外枠６１は、図７或いは図１２にて示すごとく、三角状の上ヒンジ板５１及び三角状の下ヒンジ板５２により、枠体Ｈに前後方向に回動可能に支持されている。このことは、セキュリティ板Ｓが上述のごとく枠体Ｈに前後方向に開閉可能に支持されていることを意味する。
【００４９】
本第１実施形態において、上ヒンジ板５１は、その前端角部にて、外枠６１の上壁６１ａの左端部にヒンジピン５３により回動可能に支持されており、当該上ヒンジ板５１の後端部は、２つのネジにより、枠体Ｈの枠部４１の上壁部４１ｂの左端部にその下側から締着されている。
【００５０】
一方、下ヒンジ板５２は、その前端角部にて、外枠６１の下壁６１ｄの左端部にヒンジピン５４により回動可能に支持されており、当該下ヒンジ板５２の後端部は、２つのネジにより、枠体Ｈの枠部４１の下壁部の左端部にその上側から締着されている。これにより、外枠６１は、上述のごとく、枠体Ｈに前後方向に回動可能に支持されている。
【００５１】
また、外枠６１において、上壁６１ａは、図７或いは図８にて示すごとく、切欠き部６１ｅを有しており、この切欠き部６１ｅは、上壁６１ａの右端部にその前方から後方に向け横断面矩形凹状に切り欠き形成されている。これにより、当該切欠き部６１ｅは、図７或いは図８にて示すごとく、前方及び上下の各方向に向け開口している。ここで、切欠き部６１ｅの左右方向開口幅は、ロックレバー４３ａのフック部４３ｄの板厚よりも幾分広くなっている。このことは、ロックレバー４３ａのフック部４３ｄが、切欠き部６１ｅ内のその上側開口部から進入可能であることを意味する。
【００５２】
右壁６１ｂ及び左壁６１ｃは、それぞれ、図７或いは図８にて示すごとく、２つの直線状長穴部６１ｆを有しており、右壁６１ｂにおいて、２つの直線状長穴部６１ｆは、右壁６１ｂの内側面（左側面）から外側面（右側面）にかけて、当該右壁６２ｂの上下方向中間部位に上下方向に所定間隔をおいてそれぞれ左右方向に貫通状に形成されている。ここで、各直線状長穴部６１ｆは、それぞれ、図９にて拡大して示すごとく、右壁６１ｂの上下方向中間部位において、図示上下方向に沿い直線状に形成されている。
【００５３】
また、左壁６１ｃにおいて、２つの直線状長穴部６１ｆは、図８にて示すごとく、左壁６１ｃの内側面（右側面）から外側面（左側面）にかけて、当該左壁６１ｃの上下方向中間部位に、右壁６１ｂの各直線状長穴部６１ｆに左右方向においてそれぞれ対向して位置するとともに、左右方向に貫通状に形成されている。ここで、左壁６１ｃの各直線状長穴部６１ｆは、それぞれ、図８にて示すごとく、左壁６１ｃの上下方向中間部位において、図示上下方向に沿い直線状に形成されている。
【００５４】
内枠６２は、外枠６１の矩形状中空部内に上下方向に移動可能に組み付けられているもので、この内枠６２は、図８にて示すごとく、右壁６２ａと、左壁６２ｂと、上バー６２ｃと、下バー６２ｄとにより構成されている。
【００５５】
右壁６２ａ及び左壁６２ｂは、図８にて示すごとく、それぞれ、２つの傾斜状長穴部６２ｅを有しており、右壁６２ａにおいて、２つの傾斜状長穴部６２ｅは、右壁６２ａのうち外枠６１の右壁６１ｂの２つの直線状長穴部６１ｆの間の部位に対する各対応部位にて、右壁６２ａの内側面（左側面）から外側面（右側面）にかけてそれぞれ左右方向には貫通状に形成されている。
【００５６】
ここで、右壁６２ａの２つの傾斜状長穴部６２ｅは、それぞれ、当該右壁６２ａの後側上方から前側下方にかけて、上に突な緩やかな湾曲形状に形成されている。換言すれば、当該２つの傾斜状長穴部６２ｅは、それぞれ、後側上端部６２ｆから前側下端部６２ｇにかけて、上に突な緩やかな湾曲形状に形成されている。なお、右壁６２ａの各傾斜状長穴部６２ｅにおける後側上端部６２ｆと前側下端部６２ｇとの間の傾斜方向間隔は、外枠６１の下壁６１ｄ上に着座状態にある内枠６２の係合突部６２ｌ（後述する）の上端面と外枠６１の切欠き部６１ｅの上端開口面との間の上下方向間隔に対応する。
【００５７】
また、左壁６２ｂにおいて、２つの傾斜状長穴部６２ｅは、当該左壁６２ｂのうち外枠６１の左壁６１ｃの２つの直線状長穴部６１ｆの間の部位に対する各対応部位にて、右壁６２ａの２つの傾斜状長穴部６２ｅに対向するように、左壁６２ｂの内側面（右側面）から外側面（左側面）にかけてそれぞれ左右方向には貫通状に形成されている。換言すれば、当該左壁６２ｂの２つの傾斜状長穴部６２ｅは、それぞれ、後側上端部６２ｆから前側下端部６２ｇにかけて、上に突な緩やかな湾曲形状に形成されている。
【００５８】
また、当該内枠６２は、各２つの案内ピン６２ｉ（図８参照）を有しており、これら各案内ピン６２ｉは、２つずつ、右壁６２ａ及び左壁６２ｂの各外面から互いに外方に向け突出されている。
【００５９】
ここで、右壁６２ａの外面から突出する２つの案内ピン６２ｉは、それぞれ、外枠６１における右壁６１ｂの各直線状長穴部６１ｆに左右方向において対向して位置することで、当該各直線状長穴部６１ｆに相対移動可能に挿通されている。また、左壁６２ｂの外面から突出する２つの案内ピン６２ｉは、それぞれ、外枠６１における左壁６１ｃの各直線状長穴部６１ｆに左右方向において対向して位置することで、当該各直線状長穴部６１ｆに相対移動可能に挿通されている。
【００６０】
これにより、内枠６２は、各案内ピン６２ｉにより、外枠６１の各対応の直線状長穴部６１ｆに沿い案内されて、当該各直線状長穴部６１ｆによる前後方向への移動規制のもとに上下方向に移動可能となっている。なお、右壁６２ａから突出する各案内ピン６２ｉは、右壁６２ａのうち外枠６１の右壁６１ｂの直線状長穴部６１ｆに対する各対応部位に形成した各圧入孔部６２ｈに圧入により嵌着されて上述のように突出している。また、左壁６２ｂから突出する各案内ピン６２ｉは、左壁６２ｂのうち外枠６１の左壁６１ｃの直線状長穴部６１ｆに対する各対応部位に形成した各圧入孔部に圧入により嵌着されて上述のように突出している。
【００６１】
また、内枠６２において、上バー６２ｃは、その右端部及び左端部にて、それぞれ、外枠６１の上壁６１ａに平行となるように、右壁６２ａ及び左壁６２ｂの各上端部にその前側から装着されており、一方、下バー６２ｄは、それぞれ、右壁６２ａ及び左壁６２ｂの各下端部にその前側から装着されて、上バー６２ｃに平行となっている。
【００６２】
これにより、上バー６２ｃ及び下バー６２ｄは、右壁６２ａ及び左壁６２ｂを互いに平行に維持し、内枠６２を上述のごとく矩形状に構成している。ここで、右壁６２ａは、その上端部６２ｌにて、上バー６２ｃの右端部より上方へ突出するように形成されて、外枠６１の切欠き部６１ｅ内に下方から進入してロックレバー４３ａのフック部４３ｄに下方から係合可能となっている。以下、上端部６２ｌは、係合突部６２ｌともいう。
【００６３】
上述のように構成した内枠６２は、外枠６１内にて、その左右両壁６１ｃ、６１ｂに対し左右方向には移動不能にかつ上下方向には移動可能に組み付けられている。
【００６４】
また、本第１実施形態では、内枠６２は、図８にて例示するごとく、操作ロッド６２ｋを有している。この操作ロッド６２ｋは、内枠６２の右壁６２ａにその上下方向下側中間部位から前方に突出するように設けられており、当該操作ロッド６２ｋは、その把持により内枠６２を外枠６１に沿い上動させる役割を果たす。なお、前扉Ｄの扉本体Ｄａのうち操作ロッド６２ｋに対する対応部位には、その後方から盗み部（図示しない）が凹状に形成されており、当該盗み部は、操作ロッド６２ｋをその内部に進入させることで、前扉Ｄを適正に閉じるようにする役割を果たす。
【００６５】
変位板部材６３は、図８にて例示するごとく、正８角形状の保持枠６３Ａと、正８角形状のガラス板６４とを備えており、ガラス板６４は、保持枠６３Ａの正８角形状中空部内に嵌め込まれている。なお、保持枠６３Ａは、右壁６３ａ、左壁６３ｂ、上壁６３ｃ、下壁６３ｄ及び各傾斜壁６３ｅによって、上述のごとく、正８角形状に形成されている。また、ガラス板６４は、本発明にいう対向部位、すなわち、セキュリティ板Ｓにおいて、遊技盤Ｐの盤面３１に対する対向部位に対応している。
【００６６】
このように構成した変位板部材６３は、図７にて示すごとく、次のようにして、内枠６２の左右両壁６２ｂ、６２ａの間にて当該左右壁６２ｂ、６２ａに対し前後方向に変位可能となるように組み付けられている。
【００６７】
即ち、変位板部材６３は、４つの案内ピン６３ｇ（図９参照）を有しており、これら４つの案内ピン６３ｇのうち、２つの案内ピン６３ｇは、保持枠６３Ａの右壁６３ａのうち内枠６２における右壁６２ａの両傾斜状長穴部６２ｅに対する各対応部位からそれぞれ右方へ突出されて、当該両傾斜状長穴部６２ｅ内に相対変位可能に挿入されている。なお、保持枠６３Ａの右壁６３ａから突出する各案内ピン６３ｇは、右壁６３ａのうち右壁６２ａの両傾斜状長穴部６２ｅに対する各対応部位に形成された両圧入孔部６３ｆの各々に圧入されて右方へ突出している。
【００６８】
残りの２つの案内ピン６３ｇは、保持枠６３Ａの左壁６３ｂのうち内枠６２における左壁６２ｂの両傾斜状長穴部６２ｅに対する各対応部位からそれぞれ左方へ突出されて、当該両傾斜状長穴部６２ｅ内に相対変位可能に挿入されている。なお、保持枠６３Ａの左壁６３ｂから突出する各案内ピン６３ｇは、左壁６３ｂに上記両圧入孔部６３ｆに対向する各部位にて形成された両圧入孔部の各々に圧入されて左方へ突出している。
【００６９】
これにより、変位板部材６３は、上述のごとく、内枠６２内にてその左右壁６２ｂ、６２ａの間にて当該左右壁６２ｂ、６２ａに対し各傾斜状長穴部６２ｅに沿い前後方向に変位可能となっている。
【００７０】
なお、保持枠６３Ａの下壁６３ｄの下面には、両半球状突起６３ｈが、図８にて示すごとく、左右方向に間隔をおいて下方に向けて突設されている。このため、変位板部材６３は、保持枠６３Ａの下壁６３ｄにて、外枠６１の下壁６１ｄ上にて円滑に変位可能となっている。
【００７１】
また、上述のように変位板部材６３を内枠６２内に組み付けることで、内枠６２の各隅角部と保持枠６３Ａの各対応の傾斜壁６３ｅとの間には、三角形状の空所Ｇが、遊技盤Ｐの各装飾部品３５を挿通させる役割を果たすように、図７にて例示するごとく、形成されている。なお、セキュリティ板Ｓの開閉の際に、各装飾部品３５が、各対応の空所Ｇの内周部と干渉しあわないように、各空所Ｇの開口形状が大きく形成されている。
【００７２】
また、本第１実施形態においては、パチンコ遊技機は、図１〜図３、図７、図９及び図１０のいずれかにて示すごとく、軸状工具Ｔを付随的に備えている。この工具Ｔは、円柱状把持部と、この円柱状把持部から同軸的に延出する軸部Ｔｂとを備えており、当該工具Ｔの軸部Ｔｂは、その先端部Ｔａにて、半径方向に突出する突出片部（図示しない）を有するように形成されている。
【００７３】
ここで、本第１実施形態では、帯状挿入溝部６２ｊが、図８にて例示するごとく、内枠６２の右壁６２ａの下側中間部位にて、左右方向に帯状に形成されており、右壁６２ａのうち帯状挿入溝部６２ｊの後方直上部位の内部には、右壁６２ａから外枠６１の右壁６１ｂのうち上記後方直上部位に対する対応内面部に向けて開口するようにくり抜き穴部（図示しない）がくり抜き形成されている。また、外枠６１の右壁６１ｂの上記対応内面部には、切り欠き部（図示しない）が、上記くり抜き穴部に向けて左側へ開口するように形成されている。
【００７４】
しかして、このように構成した工具Ｔは、次のごとく、操作されるようになっている。即ち、工具Ｔを、軸Ｔｂにて、その左側に上記突出片部を位置させるようにして、前扉Ｄの貫通孔部１８（図６参照）を通り、セキュリティ板Ｓの内枠６２の帯状挿入溝部６２ｊに挿入した状態にて、当該工具Ｔを、図９にて図示円弧状矢印にて示すごとく、時計方向に回動すると、この工具Ｔの上記突出片部は、右壁６１ｂの上記くり抜き穴部内にて軸部Ｔｂの軸周りに上記時計方向に回動して、当該くり抜き穴部から右壁６１ｂの上記切り欠き部内に進入してその内面下部に係合する。
【００７５】
然る後、当該工具Ｔをさらに時計方向に回動させると、この工具Ｔは、その回動に伴い、上記突出片部にて、右壁６１ｂの上記切り欠き部の上記内面下部を下方に向け押動する。これに伴い、工具Ｔが、上記突出片部による上記切り欠き部の上記内面下部に対する押動のもとに、軸部Ｔｂにより、帯状挿入溝部６２ｊの上側内面部を介し内枠６２の右壁６２ａを上方へ押し上げる。このため、内枠６２が、各案内ピン６２ｉにより、外枠６１の各対応の直線状長穴部６１ｆに沿い案内されて、上動する。
【００７６】
以上のように構成した本第１実施形態において、当該パチンコ遊技機では、図９にて例示するごとく、前扉Ｄが、セキュリティＳとともに、遊技盤Ｐを介し枠体Ｈを閉じた状態にあるものとする。
【００７７】
このような状態では、内枠６２は、その下壁６２ｄにて、外枠６１の下壁６１ｄ上に着座し、セキュリティ板Ｓは、変位板部材６３にて、内枠６２の後部内に位置している。このことは、セキュリティ板Ｓにおいて、変位板部材６３が上記原位置に維持されていることを意味する（図４及び図９参照）。
【００７８】
このとき、内枠６２の各案内ピン６２ｉは、外枠６１の各対応の直線状長穴部６１ｆ内にてその上端部に下方から当接している。また、変位板部材６３の各案内ピン６３ｇは、内枠６２の各対応の傾斜状長穴部６２ｅ内にてその各後側上端部６２ｆに下方から当接している。
【００７９】
さらに、セキュリティ板Ｓは、ロックレバー機構４３により枠体Ｈにロックされた状態にある。ここで、ロックレバー機構４３のロックレバー４３ａは、捩りばね４３ｃにより付勢されて、フック部４３ｄにより外枠６１の切欠き部６１ｅ内に上方から進入係合している。
【００８０】
このような状態においては、セキュリティ板Ｓが、遊技盤Ｐを介し上記遊技機本体を閉じている。このため、セキュリティ板Ｓと上記遊技機本体との間において隙間がわずかでも生じることがない。
【００８１】
従って、隙間が、前扉Ｄと上記遊技機本体との間に生じていても、上述のようにセキュリティ板Ｓと上記遊技機本体との間には隙間が発生しない。
【００８２】
このため、不正行為者が、当該パチンコ遊技機に対して不正行為を行うべく、前扉Ｄと上記遊技機本体との間の隙間からピアノ線などを進入させたとしても、遊技盤Ｐの盤面３１はセキュリティ板Ｓにより覆われていることから、ピアノ線などをセキュリティ板Ｓと上記遊技機本体との間から進入させることは困難である。このことは、上述した不正行為を未然に防止し得ることを意味する。
【００８３】
このような状態において、当該パチンコ遊技機による遊技過程にて、遊技球が、変位板部材６３と遊技盤Ｐの盤面３１との間に挟まれることで、いわゆる球噛みが、遊技盤Ｐの盤面３１と変位板部材６３との間に発生した場合、セキュリティ板Ｓが、上述のごとく、ロックレバー機構４３によりロックされた状態で、閉じたままとなっている。従って、前扉Ｄを開いてセキュリティ板Ｓを開こうとしても開くことはできない。
【００８４】
そこで、例えば、ホールの作業者が、工具Ｔの把持部を把持して、図９に示すように、軸部Ｔｂを前扉Ｄの工具挿入穴部１８（図７参照）に挿入して、軸部Ｔｂの上記突出片部を、当該軸部Ｔｂの左側に位置させるようにして、内枠６２の右壁６２ａの帯状挿入溝部６２ｊに挿入する。
【００８５】
然る後、当該工具Ｔを、図９にて図示円弧状矢印にて示すごとく、時計方向に回動すると、この工具Ｔの上記突出片部は、右壁６１ｂの上記くり抜き穴部内にて軸部Ｔｂの軸周りに上記時計方向に回動して、当該くり抜き穴部から右壁６１ｂの上記切り欠き部内に進入してその内面下部に係合する。
【００８６】
このような段階にて、当該工具Ｔをさらに時計方向に回動させると、この工具Ｔは、その回動に伴い、上記突出片部にて、右壁６１ｂの上記切り欠き部の上記内面下部を下方に向け押動する。これに伴い、工具Ｔが、上記突出片部による上記切り欠き部の上記内面下部に対する押動のもとに、軸部Ｔｂにより、帯状挿入溝部６２ｊの上側内面部を介し内枠６２の右壁６２ａを上方へ押し上げる。このため、内枠６２が、各案内ピン６２ｉにより、外枠６１の各対応の直線状長穴部６１ｆに沿い案内されて、上動する。なお、図９及び図１０では、便宜上、前扉Ｄは示されていない。
【００８７】
このような内枠６２の上動に伴い、セキュリティ板Ｓにおいては、変位板部材６３が、各案内ピン６３ｇにて、内枠６２の各対応の傾斜状長穴部６２ｅに沿いその各後側上端部６２ｆから各前側下端部６２ｇに向けて案内されて、前方へ変位（即ち、前進）する。このとき、変位板部材６３は、保持枠６３Ａの上下両壁６３ｃ、６３ｄにて、外枠６１の上下両壁６１ａ、６１ｄの間に上下方向には移動不能に規制されているから、変位板部材６３は、各案内ピン６３を、内枠６２の上述の上動にあわせて各対応の傾斜状長穴部６２ｅの傾斜方向に沿い移動させながら、前進する。
【００８８】
然る後、各案内ピン６３ｇが、それぞれ、各対応の傾斜状長穴部６２ｅの傾斜方向中間部位に達すると、変位板部材６３は、その前進位置に達する（図５及び図１０参照）。
【００８９】
このように変位板部材６３が原位置から前進位置へ変位することで、変位板部材６３は遊技盤Ｐの盤面３１から前方に離れる。このことは、変位板部材６３と遊技盤Ｐの盤面３１との間の間隔が、遊技球の直径よりも、一様に広くなることを意味する。その結果、遊技球が、その球噛みから容易に解放され得る。
【００９０】
このように球噛みが解消した状態においては、セキュリティ板Ｓは、上述のごとく、閉じたままでロックレバー機構４３によりロックされている。このとき、セキュリティ板Ｓにおいては、変位板部材６３と遊技盤Ｐの盤面３１との間の間隔が上述のように広くなっても、当該変位板部材６３と内枠６２或いは外枠６１との間の関係は、変位板部材６３の原位置における場合と同様であるので、何ら不正を行う余地は発生しない。
【００９１】
上述のようにして遊技球の球噛みを解消した後は、工具Ｔを上述とは逆に反時計方向に回動させると、この工具Ｔの上記突出片部は、右壁６１ｂの上記くり抜き穴部内にて軸部Ｔｂの軸周りに上記反時計方向に回動して、右壁６１ｂの上記切り欠き部の内面下部から解離して右壁６１ｂの上記くり抜き穴部の内部に戻る。これに伴い、内枠６２が、その自重のもとに、各案内ピン６２ｉを外枠６１の各対応の直線状長穴部６１ｆに沿い下方に向け移動させながら下動する。
【００９２】
このような内枠６２の下動に伴い、セキュリティ板Ｓにおいては、変位板部材６３が、各案内ピン６３ｇにて、内枠６２の各対応の傾斜状長穴部６２ｅに沿い各後側上端部６２ｆに向けて案内されて、内枠６２の下動に対し相対的に上動しながら後方へ変位する。このとき、変位板部材６３は、保持枠６３Ａの上下両壁６３ｃ、６３ｄにて、外枠６１の上下両壁６１ａ、６１ｄの間に上下方向には移動不能に規制されているから、変位板部材６３は、各案内ピン６３ｇを、内枠６２の上述の下動にあわせて各対応の傾斜状長穴部６２ｅの傾斜方向に沿い移動させながら、後方へ変位する。
【００９３】
然る後、各案内ピン６３ｇが、それぞれ、各対応の傾斜状長穴部６２ｅの後側上端部６２ｆに達すると、変位板部材６３は、その原位置に達する（図５及び図１０参照）。これにより、変位板部材６３と遊技盤Ｐの盤面との間隔は元の状態に復帰する。なお、この段階では、既に球噛みは上述のごとく解消されているため、特に支障はない。また、上述のように変位板部材６３が原位置に戻った後は、工具Ｔを前扉Ｄの工具挿入穴部１８から抜き取ればよい。
【００９４】
また、何らかの理由によりセキュリティ板Ｓを開く必要が発生した場合には、キーＫを施錠装置１７に挿入して一方向回動操作すれば、前扉Ｄが、施錠装置１７による枠体Ｈとの施錠から解放される。このとき、変位板部材６３は、原位置にあるものとする。
【００９５】
このような状態にて、前扉Ｄを開いた後、操作ロッド６２ｋを把持して内枠６２を上動させると、内枠６２の係合突部６２ｌが、外枠６１の切欠き部６１ｅ内に下方から進入して外枠６１の上壁６１ａの切り欠き部６１ｅ内にその下方から進入してロックレバー４３ａのフック部４３ｄに係合する。然る後、内枠６２の係合突部６２ｌが、フック部４３ｄを捩りばね４３ｃに抗して押し上げるようにしてロックレバー４３ａを上方に傾動させる。
【００９６】
これに伴い、ロックレバー４３ａのフック部４３ｄが外枠６１の上壁６１ａの切り欠き部６１ｅから上方へ解離すると、セキュリティ板Ｓは、枠体Ｈとのロックから解放される。換言すると、切り欠き部６１ｅは、内枠６２の上動に伴う係合突部６２ｌの上動につれてその容積が縮小してゆくが、内枠６２が所定範囲内で上動する間は、当該容積は、係合突部６２ｌによってなくなることはなく、セキュリティ板Ｓをロック状態に維持し、一方、内枠６２が所定範囲を超えて上動したとき上記容積は、係合突部６２ｌによってなくなり、セキュリティ板Ｓのロック状態は解除される。
【００９７】
また、上述のような内枠６２の上動に伴い、内枠６２の各案内ピン６２ｉは、外枠６１の各対応の直線状長穴部６１ｆに沿い上動する。また、変位板部材６３の各案内ピン６３ｇが、内枠６２の各対応の傾斜状長穴部６２ｅに沿いその後側上端部６２ｆから前側下端部６２ｇまで移動することで、変位板部材６３を前進させる。
【００９８】
上述のように、セキュリティ板Ｓを枠体Ｈとのロックから解放した後は、操作ロッド６２ｋにより内枠６２を上動させた状態で、当該セキュリティ板Ｓを枠体Ｈから開くことができる（図１２参照）。なお、セキュリティ板Ｓを開いた後は、操作ロッド６２ｋを解放すれば、内枠６２は、その自重により下動し、変位板部材６３が原位置に戻る。
【００９９】
このような状態において、セキュリティ板Ｓを再び閉じるにあたっては、当該セキュリティ板Ｓを、枠体Ｈに向けて押し当てるようにすれば、外枠６１の上壁６１ａがその右端部にてロックレバー４３ａのフック部４３ｄを捩りばね４３ｂに抗して押し上げながら閉じる。これに伴い、ロックレバー４３ａのフック部４３ｄが捩りばね４３ｂの弾力のもとに外枠６１の切り欠き部６１ｅ内に上方から進入して係合する。これにより、セキュリティ板Ｓがロックレバー機構４３により再びロックされる。ついで、前扉Ｄを閉じ、然る後、キーＫにより施錠装置１７を介して前扉Ｄを施錠する。
【０１００】
なお、上述のようにセキュリティ板Ｓを開くにあたっては、操作ロッド６２ｋに依存することなく、工具Ｔを内枠６２の帯状挿入溝部６２ｊに上述と同様に挿入して時計方向に回動させることで、内枠６２を上述のようにロックレバー機構４３によるロックから解除するように上動させるようにしてもよい。これによれば、操作ロッド６２ｋという余分な部品の廃止が可能となる。
【０１０１】
以上説明したように、本第１実施形態においては、セキュリティ板Ｓが遊技盤Ｐを有する遊技機本体と前扉Ｄとの間に開閉可能に支持されている。
【０１０２】
これによれば、セキュリティ板Ｓを閉じたときには、当該セキュリティ板Ｓと遊技機本体との間には隙間が形成されない。従って、前扉Ｄと遊技機本体との間の隙間からピアノ線などを挿入させ得たとしても、当該ピアノ線などを、セキュリティ板Ｓと遊技機本体との間にまで挿入することは困難である。
【０１０３】
このため、上記ピアノ線などは、遊技盤Ｐの盤面３１に到達し得ず、その結果、上述のような不正行為を未然に防止することができる。
【０１０４】
また、セキュリティ板Ｓは、上述のごとく、閉じたとき、ロックレバー機構４３により枠体Ｈにロックされるので、セキュリティ板Ｓを自由に開けることができない。このため、当該パチンコ遊技機におけるセキュリティが向上する。
【０１０５】
また、球噛みが発生した場合には、上述のごとく、前扉Ｄを閉じた状態でセキュリティ板Ｓをロックしたままにて、工具Ｔを用いて内枠６２を上動させ、変位板部材６３を前進させることで、当該変位板部材６３と遊技盤Ｐとの間隔を遊技球の直径よりも広くするようにしたので、前扉Ｄ及びセキュリティ板Ｓを開くことなく上記球噛みを解消することが可能になり、便利である。このとき、セキュリティ板Ｓは、上述のごとくロックしたままであるので、当該パチンコ遊技機のセキュリティは、球噛みの解消前と同様に向上する。
【０１０６】
また、遊技盤Ｐは、その盤面３１に突設された装飾部品３５を備えると共に、セキュリティ板Ｓは各空所Ｇを備えている。このため、セキュリティ板Ｓを閉じたとき、各装飾部品３５は各対応の空所Ｇを貫通してセキュリティ板Ｓの前方へ突出する。このことは、セキュリティ板Ｓを装飾部品３５により邪魔されることなく枠体Ｈに対し閉じることができることを意味する。
【０１０７】
また、パチンコ遊技機では、一般的に、前扉Ｄに電飾部品等の装飾部品を設けることで、演出効果を高めることが行われている。ここで、パチンコ遊技機において、遊技盤Ｐは定期的に交換されるものの、前扉Ｄは交換されることなくそのまま維持されることが通常である。これでは、パチンコ遊技機としての装飾部品による演出効果を遊技盤の交換にあわせてさらに高めることはできない。
【０１０８】
このため、本第１実施形態では、装飾部品３５が、前扉Ｄではなく、遊技盤Ｐの盤面に突設されているので、パチンコ遊技機としての装飾部品による演出効果を遊技盤の交換毎に新たに高めることができる。
【０１０９】
なお、上記第１実施形態は、内枠６２を上動させることによって変位板部材６３を前進させると共にロック機構４３を作動させる構成としたが、内枠６３を上動ではなく下動させることによって変位板部材６３を前進させると共にロック機構４３を作動させる構成とすることは自由である。
【０１１０】
また、セキュリティ板Ｓの形状は、上述した実施形態では四角形状としたが、遊技盤Ｐの盤面３１における遊技領域３２の形状に対応する形状（略円形形状）で構成してもよく、装飾部品３５がこのセキュリティ板の外側に配置されるようにしてもよい。また、上述した実施形態では、セキュリティ板Ｓの変位板部材６３を前後方向へ移動可能に構成したが、セキュリティ板Ｓ全体を前後方向へ移動可能に構成してもよい。
【０１１１】
また、上記第１実施形態では、切欠き部６１ｅをセキュリティ板Ｓの右上端部に設けているが、セキュリティ板Ｓの右上端部の下側に切欠き部６１ｅを設け、この切欠き部６１ｅにロックレバー４３ａを係合可能に配置させ、上述した如き内枠６２の動作に応じた動作と同様な動作を行わせる構成としてもよい。
【０１１２】
（第２実施形態）
図１３及び図１４は、本発明に係るパチンコ遊技機の第２実施形態の要部を示している。この第２実施形態では、上記第１実施形態にて述べたパチンコ遊技機の遊技盤Ｐにおいて、球落下防止装置ＢＣが、付加的に採用されており、この球落下防止装置ＢＣは、図１３に示すごとく、遊技盤Ｐのうち内レール３４の下端部近傍部位（符号３６にて示すアウト口の近傍部位）に組み付けられている。
【０１１３】
当該球落下防止装置ＢＣは、図１４にて示すごとく、球受けレール１００ａと、駆動機構１００ｂとにより構成されている。球受けレール１００ａは、上記第１実施形態にて述べた内レール３４の下面に沿い、後述のごとく前後方向に変位可能に駆動機構１００ｂにより支持されている。
【０１１４】
ここで、内レール３４の下側レール部３４ａは、内レール３４の全長の半分程度の長さを有する。従って、球受けレール１００ａの全長も、内レール３４の全長の半分程度の長さに相当する。また、球受けレール１００ａの幅は、セキュリティ板Ｓにおいて前進位置にあるガラス板６４の後面と内レール３４の下側レール部３４ａの前縁部との間隔に相当する幅（遊技球の外径よりも幾分大きい幅）を有する。
【０１１５】
駆動機構１００ｂは、ケーシング１００ｃを有しており、このケーシング１００ｃは、下側レール部３４ａの下端部の下側にて遊技盤Ｐに形成した開口部Ｐ１（図１４参照）に嵌装されている。ここで、ケーシング１００ｃは、底壁１０１と、この底壁１０１の左右両端部から上方へ延出する左右両壁（図示しない）と、この左右両壁の各後端部に沿い底壁１０１の後端部から上方へ延出する後壁１０２とにより構成されて、凹所１０３を形成する。
【０１１６】
ここで、当該凹所１０３は、左右方向には断面コ字状となり、かつ前後方向にはＬ字状となって、上方及び前方に向けて開口する。このことは、球受けレール１００ａの後方への変位状態及びセキュリティ板Ｓの閉状態にあっては、ケーシング１００ｃは、凹所１０３にて、球受けレール１００ａの下面及びセキュリティ板Ｓのガラス板６４の後面に向けて開口することを意味する。
【０１１７】
また、駆動機構１００ｂは、図１４にて示すごとく、上下両側摺動体１１０、１２０及び両コイルスプリング１３０、１４０を有しており、上下両側摺動体１１０、１２０は、それぞれ、ケーシング１００ｃの凹所１０３内にその前後方向に向けて相対摺動可能に嵌装されている。
【０１１８】
上側摺動体１１０は、図１４にて示すごとく、摺動体本体１１１と、この摺動体本体１１１の後端部から後方へ延出するロッド１１２とにより構成されている。摺動体本体１１１は、平板状のもので、この摺動体本体１１１は、厚肉部１１１ａと、薄肉部１１１ｂとを備えている。
【０１１９】
厚肉部１１１ａは、摺動体本体１１１の後側半分部位からなるもので、この厚肉部１１１ａは、その下側前端隅角部にて、図１４にて示すごとく、縦断面傾斜状に切り欠かれている。これにより、厚肉部１１１ａの下側前端隅角部には、図１４にて示すごとく、左上側から右下方側に向けて、傾斜面１１１ｃが形成されている。
【０１２０】
薄肉部１１１ｂは、摺動体本体１１１の前側半分部位からなるもので、この薄肉部１１１ｂは、厚肉部１１１ａの前端部から前方へ延出するように当該厚肉部１１１ａと一体的に形成されている。この薄肉部１１１ｂの延出端部には、球受けレール１００ａが、その後縁部の左右方向中央部にて、連結されて、前方へ延出している。これにより、上側摺動体１１０は、球受けレール１００ａを、その上面にて、内レール３４の下側レール部３４ａの下面に沿うように支持する。
【０１２１】
ロッド１１２は、摺動体本体１１１の厚肉部１１１ａの中央後端部から後方に延出してなるもので、このロッド１１２は、ケーシング１００ｃの後壁１０２（凹所１０３の後壁）の凹部１０２ａ（後述する）及び後方突出壁１０４（後述する）の上側貫通穴部１０４ａに軸方向に摺動可能に挿通されている。
【０１２２】
ここで、ケーシング１００ｃは、後方突出壁１０４を有しており、この後方突出壁１０４は、後壁１０２の左右方向中央部位から後方へ一体的に突出されている。当該後方突出壁１０４は、上下両側挿通穴部１０４ａ、１０４ｂを有しており、これら上下両側挿通穴部１０４ａ、１０４ｂは、後方突出壁１０４及び後方突出壁１０４の双方に亘り形成された上下両側凹部１０２ａ、１０２ｂと同軸的に位置するように、後方突出壁１０４に上下に間隔をおいて形成されている。
【０１２３】
また、上側貫通穴部１０４ａは、後述のようにロッド１１２の上下方向への変位を許容するように、ロッド１１２の上下方向幅よりも、所定値だけ大きく形成されている。なお、上下両側凹部１０２ａ、１０２ｂは、詳細には、上側摺動体１１０のロッド１１２及び下側摺動体１２０のロッド１２２（後述する）と前後方向において同軸的に位置するように、後壁１０２及び後方突出壁１０４の前側部位に亘り、上下に間隔をおいて形成されている。
【０１２４】
下側摺動体１２０は、図１４にて示すごとく、摺動体本体１２１と、この摺動体本体１２１の後端部から後方へ延出するロッド１２２とにより構成されている。摺動体本体１２１は、平板状のもので、当該摺動体本体１２１は、ケーシング１００ｃの底壁１０１（凹所１０３の底壁）と上側摺動体１１０との間にて前後方向に摺動可能に凹所１０３内に収容されて、上記第１実施形態にて述べたセキュリティ板Ｓの外枠６１に設けてなる立ち上がり壁部６１ｇに向けて延出している。なお、立ち上がり壁部６１ｇは、外枠６１の下壁６１ｄの後端部から上方へ突出するように形成されている。
【０１２５】
また、当該摺動体本体１２１は、その上側後端隅角部にて、図１４にて示すごとく、縦断面傾斜状に切り欠かれている。これにより、摺動体本体１２１の上側後端隅角部には、図１４にて示すごとく、上側摺動体１１０の傾斜面１１１ｃに平行となるように傾斜面１２１ａが形成されている。
【０１２６】
本第２実施形態では、球受けレール１００ａが、その前端部にて、内レール３４の下側レール部３４ａの前端部に下方から重なるように位置するとき、上側摺動体１１０のロッド１１２は、その下端面にて、ケーシング１００の後方突出壁１０４の上側貫通穴部１０４ａの下側内面上に位置するととともに、上側摺動体１１０の傾斜面１１１ｃは、下側摺動体１２０の傾斜面１２１ａに係合する（図１６参照）。このような状態で下側摺動体１２０が後方へ押動されると、上側摺動体１１０は、その傾斜面１１１ｃにて、下側摺動体１２０の傾斜面１２１ａに沿い上方へ押動されて当該傾斜面１２１ａから解離するとともに、ロッド１１２は、その上端面にて、ケーシング１００の後方突出壁１０４の上側貫通穴部１０４ａの上側内面に沿い位置する（図１４参照）。
【０１２７】
ロッド１２２は、ロッド部１２２ａと、鍔部１２２ｂとにより構成されており、ロッド部１２２ａは、摺動体本体１２１の中央後端部から後方に延出されてケーシング１００の後壁１０２の下側凹部１０２ｂ及び後方突出壁１０４の下側貫通穴部１０４ｂに同軸的に前後方向に摺動可能に挿通されている。鍔部１２２ｂは、ロッド部１２２ａの延出端部に同軸的に固着されて、下側摺動体１２０の前方への抜け止め部としての役割を果たす。
【０１２８】
コイルスプリング１３０は、上側摺動体１１０のロッド１１２に嵌装されており、当該コイルスプリング１３０は、その前端部にて、上側摺動体１１０の厚肉部１１１ａの後端部に係止するとともに、その後端部にて、ケーシング１００の後壁１０２の上側凹部１０２ａ内に挿入されて後方突出壁１０４にその前側から係止している。これにより、当該コイルスプリング１３０は、上側摺動体１１０の摺動体本体１１１を前方に向けて付勢する。
【０１２９】
また、コイルスプリング１４０は、下側摺動体１２０のロッド１２２に嵌装されており、当該コイルスプリング１４０は、その前端部にて、下側摺動体１２０の摺動体本体１２１の後端部に係止するとともに、その後端部にて、ケーシング１００の後壁１０２の下側凹部１０２ｂ内に挿入されて後方突出壁１０４にその前側から係止している。これにより、当該コイルスプリング１４０は、下側摺動体１２０の摺動体本体１２１を前方に向けて付勢する。その他の構成は、上記第１実施形態と同様である。
【０１３０】
このように構成した本第２実施形態において、上記第１実施形態と同様に、セキュリティ板Ｓの変位板部材６３のガラス板６４が、セキュリティ板Ｓの閉状態において、原位置にあるとき、球落下防止装置ＢＣの球受けレール１００ａは、図１４にて示すごとく、コイルスプリング１３０により上側摺動体１１０の摺動体本体１１１を介し前方へ付勢されて、原位置にあるガラス板６４にその後面側から当接している。このとき、上側摺動体１１０は、厚肉部１１１ａの下面にて、下側摺動体１２０の摺動体本体１２１の上面後部上に位置するとともに、下側摺動体１２０は、摺動体本体１２１にて、セキュリティ板Ｓの外枠６１の立ち上がり壁部６１ｇにその後方から当接するとともに、鍔部１２２ｂにて、ケーシング１００の後方突出壁１０４から後方に離れて位置している（図１４参照）。
【０１３１】
このような状態において、上記第１実施形態と同様に球噛みの発生に伴う変位板部材６３のガラス板６４の前進位置への変位に応じて、上側摺動体１１０は、摺動体本体１１１にて、コイルスプリング１３０による付勢のもと、前方へ摺動するととともに、球受けレール１００ａが、上側摺動体１１０により押し出されて前方へ変位する（図１５参照）。
【０１３２】
このことは、球受けレール１００ａが、ガラス板６４の前進に追随しながら前方へ変位するように駆動機構１００ｂにより駆動されることを意味する（図１８参照）。なお、このとき、下側摺動体１２０は、鍔部１２２ｂにて、ケーシング１００の後方突壁１０４の下側貫通穴部１０４ｂの後端開口外周部に、コイルスプリング１４０の付勢力に抗して、係止する。
【０１３３】
従って、上述のようなガラス板６４の前進により当該ガラス板６４と遊技盤Ｐの盤面１１との間隔が大きくなって、遊技球が内レール３４の前縁部とガラス板６４との間から落下し易い状態になっても、球受けレール１００ａが、ガラス板６４と内レール３４との間隙を塞ぎながら、ガラス板６４に追随して前方へ変位する。このため、球噛みの解消により落下する遊技球は、球受けレール１００ａにより下方から確実に受け止められて、セキュリティ板Ｓと遊技盤Ｐとの間から落下することなく、アウト口３６内に排出されていく。
【０１３４】
然る後、上述のように球噛みを解消した後、上記第１実施形態と同様にセキュリティ板Ｓの変位板部材６３のガラス板６４を原位置に戻した後、セキュリティ板Ｓを上記第１実施形態にて述べたと同様にして開く。
【０１３５】
ついで、球受けレール１００ａを、図１５にて図示矢印にて示す方向に押し込むと、当該球受けレール１００ａが、その前縁部にて、図１９にて示すごとく、内レール３４の前端部に重なる位置に変位したとき、上側摺動体１１０が、その自重により、図１６にて示すごとく、傾斜面１１１ｃにて、下側摺動体１２０の傾斜面１２１ａに沿い下方へ変位しながらこの傾斜面１２１ａに係合する。
【０１３６】
これに伴い、下側摺動体１２０が前方へ押し出されるが、鍔部１２２ａがケーシング１００の後方突出壁１０４にその後方から係合するため、下側摺動体１２０は、図１７にて示すごとく、傾斜面１２１ａと傾斜面１１１ｃとの係合を維持する。
【０１３７】
然る後、上記第１実施形態にて述べたと同様にセキュリティ板Ｓを閉じると、外枠６１が、その立ち上がり壁６１ｇにて、下側摺動体１２０にその前側から当接することで、上述した両傾斜面１１１ｃ、１２１ａ間の係合を良好に維持する。
【０１３８】
以上のように、本第２実施形態においては、球噛みの解消が上述のようになされたとき、落下する遊技球が球落下防止装置ＢＣによりその球受けレール１００ａにより確実に受け止められてアウト口３６内に排出されていくので、球噛み解消の際の遊技球がセキュリティ板Ｓのガラス板６４と内レール３４との間から当該内レール３４の下側へ落下する事態を未然に防止することができる。その他の作用効果は上記第１実施形態と同様である。
【０１３９】
なお、駆動機構１００ｂは、電磁ソレノイドなど電気的アクチュエータで構成し、セキュリティ板Ｓの前進時に球受けレール１００ａを前進さセキュリティ板Ｓの後退時に球受けレール１００ｂを後退させるよう構成してもよい。
【符号の説明】
【０１４０】
Ｐ…遊技盤、Ｈ…枠体、Ｄ…前扉、Ｓ…セキュリティ板、Ｇ…空所、
ＢＣ…落下球受け装置、３１…盤面、３４…内レール、３５…装飾部品、
４３…ロック機構、４３ａ…ロックレバー、４３ｃ…捩りばね、
４３ｄ…フック部、６１…外枠、６１ｅ…切り欠き部、
６２…内枠、６２ｅ…傾斜状長穴部、６２ｌ…係合突部、６３…変位板部材、
６３ｇ…案内ピン、６４…ガラス板、１００ａ…球受けレール、
１００ｂ…駆動機構。
【図１】
0005460489.tif 000002
【図２】
0005460489.tif 000003
【図３】
0005460489.tif 000004
【図４】
0005460489.tif 000005
【図５】
0005460489.tif 000006
【図６】
0005460489.tif 000007
【図７】
0005460489.tif 000008
【図８】
0005460489.tif 000009
【図９】
0005460489.tif 000010
【図１０】
0005460489.tif 000011
【図１１】
0005460489.tif 000012
【図１２】
0005460489.tif 000013
【図１３】
0005460489.tif 000014
【図１４】
0005460489.tif 000015
【図１５】
0005460489.tif 000016
【図１６】
0005460489.tif 000017
【図１７】
0005460489.tif 000018
【図１８】
0005460489.tif 000019
【図１９】
0005460489.tif 000020